(57)【要約】【課題】インターネットのＷｅｂ上で商品情報を公開して商品の販売を行う場合の販売促進の手段を提供する。【解決手段】本発明は商品の販売を行う登録会社の持つ商品の宣伝／広告を引き受け、ＷＥＢ上でその商品情報の公開をする宣伝代行会社があって、その宣伝代行会社の有するＷＥＢにて会員登録した顧客が、ＷＥＢを通して登録会社の商品情報をアクセスして商品の購入を行うに際し、登録会社が顧客にインセンティブを支払うことにより顧客の確保を図るものである。会員には更に新規顧客を紹介してもらい、その顧客が新規で会員登録されると、この新規会員の商品購入時には両会員（新規会員・紹介会員）にインセンティブが支払われ、更なる顧客の拡大が出来るというものである。【選択図】　　　図１
2004070480.tif 000002
【特許請求の範囲】
【請求項１】
会員によって商品の発注が行われる第１のコンピュータと、前記第１のコンピュータとネットワークで接続し販売する商品の商品情報を前記第１のコンピュータに送信する第２のコンピュータと、を備え、
前記第２のコンピュータは、前記第１のコンピュータからの会員の登録を受け付け会員となった顧客の個人情報と会員の登録において該会員を紹介した紹介者会員情報と、前記商品情報と商品購入時に会員と紹介者会員とに還元されるインセンティブ情報と、を有して前記第１のコンピュータに前記商品情報と前記インセンティブ情報とを送信し、
前記第１のコンピュータは、前記第２のコンピュータから受信した前記商品情報と前記インセンティブ情報とから会員によって選択された購入商品の前記商品情報と当該商品の前記インセンティブ情報とを前記第２のコンピュータに送信し、
前記第２のコンピュータは、前記第１のコンピュータから受信した前記購入商品の前記インセンティブ情報をもとに、会員と紹介者会員とにインセンティブの還元を行うことを特徴とするインセンティブ提供システム。
【請求項２】
会員によって商品の発注が行われる第１のコンピュータと、前記第１のコンピュータとネットワークで接続し販売する商品の商品情報を前記第１のコンピュータに送信する第２のコンピュータと、を備え、
前記第２のコンピュータは、前記第１のコンピュータからの会員の登録を受け付け会員となった顧客の個人情報と会員の登録において該会員を紹介した紹介者会員情報と、前記商品情報と当該商品購入時の顧客に還元されるインセンティブ条件とそのインセンティブ条件を適用する場合のインセンティブ発生条件と紹介者会員へのインセンティブ条件とを含むインセンティブ情報と、を有し、前記第１のコンピュータに前記商品情報と前記インセンティブ情報とを送信し、
前記第１のコンピュータは、前記第２のコンピュータから受信した前記商品情報から会員によって選択された購入商品と、前記購入商品の前記インセンティブ情報におけるインセンティブ条件とインセンティブ発生条件と紹介者会員情報とを前記第２のコンピュータに送信し、
前記第２のコンピュータは、前記第１のコンピュータから受信したインセンティブ発生条件の適用の可否を前記顧客の個人情報を含む情報によって確認し、適用の確認が取れると前記購入商品の発注と、前記会員と前記紹介者会員とにインセンティブ条件に基づきインセンティブの還元を行うことを特徴とするインセンティブ提供システム。
【請求項３】
請求項２において、前記第１のコンピュータは、会員によって購入される商品の商品情報と、当該商品情報に付随する該商品を購入する会員に還元される０個以上のインセンティブ条件とそのインセンティブ条件を適用する場合のインセンティブ発生条件と紹介者会員へ還元されるインセンティブ条件とを含むインセンティブ情報と、から選択された条件を第２のコンピュータに送信することを特徴とするインセンティブ提供システム。
【請求項４】
請求項２において、前記インセンティブ条件は、現金にてキャッシュバックする、キャッシュバックした現金を貯蓄する、付与したポイントを貯蓄する条件を含み、
前記第２のコンピュータは、会員と紹介者会員について貯蓄された現金とポイント数を管理することを特徴とするインセンティブ提供システム。
【請求項５】
会員によって商品の発注が行われる第１のコンピュータと、販売する商品の商品情報を前記第１のコンピュータに送信する第２のコンピュータと、前記第２のコンピュータに前記商品情報の登録を行う第３のコンピュータと、前記第１のコンピュータと、前記第２のコンピュータと、前記第３のコンピュータとを通信で接続するネットワークと、を備え、
前記第１のコンピュータは、前記商品の商品情報と、商品購入時に顧客に還元される内容を記述したインセンティブ条件とそのインセンティブ条件を適用する条件を記述したインセンティブ発生条件とを含むインセンティブ情報と、を前記第２のコンピュータにアクセスして取り出し、商品の購入指示と該商品の持つインセンティブ情報から選択された前記インセンティブ条件と前記インセンティブ発生条件とを前記第２のコンピュータに送信し、
前記第２のコンピュータは、前記第１のコンピュータから受信した顧客の個人情報と、前記第３のコンピュータから受信した前記商品情報と前記インセンティブ情報と、をそれぞれデータベースに登録するとともに、前記第１のコンピュータからのアクセスを受け、前記商品情報と前記インセンティブ情報とを前記第１のコンピュータに送信し、前記第１のコンピュータからの前記商品の購入指示と前記インセンティブ条件と前記インセンティブ発生条件とを受け付けると、前記インセンティブ発生条件をもとに前記インセンティブ条件の適用可否を検査し、適用が確認されると商品の発注指示を前記第３のコンピュータに送信し、
前記第３のコンピュータは、前記第２のコンピュータに前記商品情報と前記インセンティブ情報を登録し、商品の発注指示を前記第２のコンピュータから受け付けることを特徴とするインセンティブ提供システム。
【請求項６】
第１のコンピュータによって第２のコンピュータに個人情報をネットワークによって送信して前記第１のコンピュータを使用する顧客の会員登録と当該顧客を紹介した紹介者会員の登録を行う第１のステップと
前記第２のコンピュータが、前記第１のコンピュータからの要求に従い販売する商品の商品情報と当該商品に付随し、会員と紹介者会員へのインセンティブの還元をするためのインセンティブ情報とをネットワークによって送信する第２のステップと、
前記第１のコンピュータは、前記第２のコンピュータから受信した前記商品情報と前記インセンティブ情報とから会員によって選択された購入商品の商品情報とインセンティブ情報とを前記第２のコンピュータにネットワークによって送信して商品の発注を行う第３のステップと、
前記第２のコンピュータは、前記第３のステップで送信された商品の発注を行うとともに受信した前記インセンティブ情報に基づき会員と紹介者会員とにインセンティブの還元を行う第４のステップと、
を備えることを特徴とするインセンティブ提供方法。
【請求項７】
商品の販売を行う登録会社の第３のコンピュータから商品の広告／宣伝情報を含む商品情報と当該商品を購入した顧客に還元する０以上のインセンティブ条件を含むインセンティブ情報とを第２のコンピュータへネットワークによって送信して登録する第１のステップと、
前記宣伝代行会社への顧客の会員登録のため、第３のコンピュータから前記第２のコンピュータへ、前記顧客の個人情報と紹介した会員の会員番号とを前記ネットワークによって送信して前記第２のコンピュータに登録を行う第２のステップと、
第１のコンピュータから前記第２のコンピュータの前記商品情報と前記インセンティブ情報をアクセスして取り出し、会員によって選択された購入商品の注文とその商品のインセンティブ情報から選択されたインセンティブ条件とを前記第２のコンピュータにネットワークによって送信する第３のステップと、
前記第２のコンピュータは、前記注文された商品の発注を前記第３のコンピュータに行うとともに、会員と紹介した会員とに対し受信したインセンティブ条件に従いインセンティブの還元を行う第４のステップと、
を備えることを特徴とするインセンティブ提供方法。
【請求項８】
コンピュータに、
商品の販売を行う登録会社の第３のコンピュータから商品の広告／宣伝情報を含む商品情報と当該商品を購入した顧客に還元する０以上のインセンティブ条件を含むインセンティブ情報とを第２のコンピュータへネットワークによって送信して登録する第１のステップと、
前記宣伝代行会社への顧客の会員登録のため、第３のコンピュータから前記第２のコンピュータへ、前記顧客の個人情報と紹介した会員の会員番号とを前記ネットワークによって送信して前記第２のコンピュータに登録を行う第２のステップと、
第１のコンピュータから前記第２のコンピュータの前記商品情報と前記インセンティブ情報をアクセスして取り出し、会員によって選択された購入商品の注文とその商品のインセンティブ情報から選択されたインセンティブ条件とを前記第２のコンピュータにネットワークによって送信する第３のステップと、
前記第２のコンピュータは、前記注文された商品の発注をネットワークによって前記第３のコンピュータに行うとともに、会員と紹介した会員とに対し受信したインセンティブ条件に従いインセンティブの還元を行う第４のステップと、
を実行させるためのプログラム。
【発明の詳細な説明】
【０００１】
【発明の属する技術分野】
本発明は、顧客に対しインターネット上で商品を販売する企業の商品情報を代行して公開し顧客からの注文を販売企業に代行して受け付けるとともに、顧客が購入する商品にインセンティブを付与するインセンティブ提供システム、インセンティブ提供方法及びそのプログラムに関する。
【０００２】
【従来の技術】
現在、インターネット上のＷＥＢサーバで公開された商品情報をアクセスして商品の購入を行うことはごく日常的なものになりつつある。
【０００３】
【発明が解決しようとする課題】
しかし、個人情報の漏洩を防ぐ手段の発達は、これに反して手薄であり誰もが危機感を抱いている。そこで、本発明は、商品を販売する企業から商品情報の提供を受け、これをＷＥＢ上で公開して商品の宣伝や広告を行う代行会社が顧客との仲介に入ることで、誰もが安心してＷＥＢにより取引を行える場所を提供するものである。
【０００４】
さらに、インターネット上でも多くの商品販売会社が存在し、お互いの競争が激しく、商品販売における他社との差別化が必要となっている。
【０００５】
そのため、本発明では、顧客の個人情報を登録する会員制度を設け、商品を購入した顧客が会員の場合、その商品に付随する種々のインセンティブ条件を提示し顧客が選択したインセンティブ条件に基づき、当該顧客と顧客を会員として紹介した紹介者会員とにインセンティブの還元を行う内容も含むインセンティブ提供システム、インセンティブ提供方法及びそのプログラムを提供するものである。
【０００６】
【課題を解決するための手段】
本発明の第１のインセンティブ提供システムは、会員によって商品の発注が行われる第１のコンピュータと、前記第１のコンピュータとネットワークで接続し販売する商品の商品情報を前記第１のコンピュータに送信する第２のコンピュータと、を備え、
前記第２のコンピュータは、前記第１のコンピュータからの会員の登録を受け付け会員となった顧客の個人情報と会員の登録において該会員を紹介した紹介者会員情報と、前記商品情報と商品購入時に会員と紹介者会員とに還元されるインセンティブ情報と、を有して前記第１のコンピュータに前記商品情報と前記インセンティブ情報とを送信し、
前記第１のコンピュータは、前記第２のコンピュータから受信した前記商品情報と前記インセンティブ情報とから会員によって選択された購入商品の前記商品情報と当該商品の前記インセンティブ情報とを前記第２のコンピュータに送信し、
前記第２のコンピュータは、前記第１のコンピュータから受信した前記購入商品の前記インセンティブ情報をもとに、会員と紹介者会員とにインセンティブの還元を行うことを備える。
【０００７】
本発明の第２のインセンティブ提供システムは、会員によって商品の発注が行われる第１のコンピュータと、前記第１のコンピュータとネットワークで接続し販売する商品の商品情報を前記第１のコンピュータに送信する第２のコンピュータと、を備え、
前記第２のコンピュータは、前記第１のコンピュータからの会員の登録を受け付け会員となった顧客の個人情報と会員の登録において該会員を紹介した紹介者会員情報と、前記商品情報と当該商品購入時の顧客に還元されるインセンティブ条件とそのインセンティブ条件を適用する場合のインセンティブ発生条件と紹介者会員へのインセンティブ条件とを含むインセンティブ情報と、を有し、前記第１のコンピュータに前記商品情報と前記インセンティブ情報とを送信し、
前記第１のコンピュータは、前記第２のコンピュータから受信した前記商品情報から会員によって選択された購入商品と、前記購入商品の前記インセンティブ情報におけるインセンティブ条件とインセンティブ発生条件と紹介者会員情報とを前記第２のコンピュータに送信し、
前記第２のコンピュータは、前記第１のコンピュータから受信したインセンティブ発生条件の適用の可否を前記顧客の個人情報を含む情報によって確認し、適用の確認が取れると前記購入商品の発注と、前記会員と前記紹介者会員とにインセンティブ条件に基づきインセンティブの還元を行うことを備える。
【０００８】
本発明の第３のインセンティブ提供システムは、第２の発明において、前記第１のコンピュータは、会員によって購入される商品の商品情報と、当該商品情報に付随する該商品を購入する会員に還元される０個以上のインセンティブ条件とそのインセンティブ条件を適用する場合のインセンティブ発生条件と紹介者会員へ還元されるインセンティブ条件とを含むインセンティブ情報と、から選択された条件を第２のコンピュータに送信することを備える。
【０００９】
本発明の第４のインセンティブ提供システムは、第２の発明において、前記インセンティブ条件は、現金にてキャッシュバックする、キャッシュバックした現金を貯蓄する、付与したポイントを貯蓄する条件を含み、
前記第２のコンピュータは、会員と紹介者会員について貯蓄された現金とポイント数を管理することを備える。
【００１０】
本発明の第５のインセンティブ提供システムは、会員によって商品の発注が行われる第１のコンピュータと、販売する商品の商品情報を前記第１のコンピュータに送信する第２のコンピュータと、前記第２のコンピュータに前記商品情報の登録を行う第３のコンピュータと、前記第１のコンピュータと、前記第２のコンピュータと、前記第３のコンピュータとを通信で接続するネットワークと、を備え、
前記第１のコンピュータは、前記商品の商品情報と、商品購入時に顧客に還元される内容を記述したインセンティブ条件とそのインセンティブ条件を適用する条件を記述したインセンティブ発生条件とを含むインセンティブ情報と、を前記第２のコンピュータにアクセスして取り出し、商品の購入指示と該商品の持つインセンティブ情報から選択された前記インセンティブ条件と前記インセンティブ発生条件とを前記第２のコンピュータに送信し、
前記第２のコンピュータは、前記第１のコンピュータから受信した顧客の個人情報と、前記第３のコンピュータから受信した前記商品情報と前記インセンティブ情報と、をそれぞれデータベースに登録するとともに、前記第１のコンピュータからのアクセスを受け、前記商品情報と前記インセンティブ情報とを前記第１のコンピュータに送信し、前記第１のコンピュータからの前記商品の購入指示と前記インセンティブ条件と前記インセンティブ発生条件とを受け付けると、前記インセンティブ発生条件をもとに前記インセンティブ条件の適用可否を検査し、適用が確認されると商品の発注指示を前記第３のコンピュータに送信し、
前記第３のコンピュータは、前記第２のコンピュータに前記商品情報と前記インセンティブ情報を登録し、商品の発注指示を前記第２のコンピュータから受け付けることを備える。
【００１１】
本発明の第１のインセンティブ提供方法は、第１のコンピュータによって第２のコンピュータに個人情報をネットワークによって送信して前記第１のコンピュータを使用する顧客の会員登録と当該顧客を紹介した紹介者会員の登録を行う第１のステップと
前記第２のコンピュータが、前記第１のコンピュータからの要求に従い販売する商品の商品情報と当該商品に付随し、会員と紹介者会員へのインセンティブの還元をするためのインセンティブ情報とをネットワークによって送信する第２のステップと、
前記第１のコンピュータは、前記第２のコンピュータから受信した前記商品情報と前記インセンティブ情報とから会員によって選択された購入商品の商品情報とインセンティブ情報とを前記第２のコンピュータにネットワークによって送信して商品の発注を行う第３のステップと、
前記第２のコンピュータは、前記第３のステップで送信された商品の発注を行うとともに受信した前記インセンティブ情報に基づき会員と紹介者会員とにインセンティブの還元を行う第４のステップと、
を備える。
【００１２】
本発明の第２のインセンティブ提供方法は、商品の販売を行う登録会社の第３のコンピュータから商品の広告／宣伝情報を含む商品情報と当該商品を購入した顧客に還元する０以上のインセンティブ条件を含むインセンティブ情報とを第２のコンピュータへネットワークによって送信して登録する第１のステップと、
前記宣伝代行会社への顧客の会員登録のため、第３のコンピュータから前記第２のコンピュータへ、前記顧客の個人情報と紹介した会員の会員番号とを前記ネットワークによって送信して前記第２のコンピュータに登録を行う第２のステップと、
第１のコンピュータから前記第２のコンピュータの前記商品情報と前記インセンティブ情報をアクセスして取り出し、会員によって選択された購入商品の注文とその商品のインセンティブ情報から選択されたインセンティブ条件とを前記第２のコンピュータにネットワークによって送信する第３のステップと、
前記第２のコンピュータは、前記注文された商品の発注を前記第３のコンピュータに行うとともに、会員と紹介した会員とに対し受信したインセンティブ条件に従いインセンティブの還元を行う第４のステップと、
を備える。
【００１３】
本発明の第１のプログラムは、コンピュータに、
商品の販売を行う登録会社の第３のコンピュータから商品の広告／宣伝情報を含む商品情報と当該商品を購入した顧客に還元する０以上のインセンティブ条件を含むインセンティブ情報とを第２のコンピュータへネットワークによって送信して登録する第１のステップと、
前記宣伝代行会社への顧客の会員登録のため、第３のコンピュータから前記第２のコンピュータへ、前記顧客の個人情報と紹介した会員の会員番号とを前記ネットワークによって送信して前記第２のコンピュータに登録を行う第２のステップと、
第１のコンピュータから前記第２のコンピュータの前記商品情報と前記インセンティブ情報をアクセスして取り出し、会員によって選択された購入商品の注文とその商品のインセンティブ情報から選択されたインセンティブ条件とを前記第２のコンピュータにネットワークによって送信する第３のステップと、
前記第２のコンピュータは、前記注文された商品の発注をネットワークによって前記第３のコンピュータに行うとともに、会員と紹介した会員とに対し受信したインセンティブ条件に従いインセンティブの還元を行う第４のステップと、
を実行させる。
【００１４】
【発明の実施の形態】
次に、本発明の実施の形態について図面を参照して詳細に説明する。
【００１５】
本発明は図１の全体の構成図に示す通り、商品の販売を行う登録会社２０の有するＰＣ端末２０１と、登録会社２０から委託を受けてインターネット上で商品の宣伝／広告を行う宣伝代行会社３０の有する処理装置３０１と、宣伝代行会社３０の公開する商品情報を参照して商品の購入を行う顧客４０の有するＰＣ端末４０１または携帯電話等の携帯端末４０２と、により構成されており、インターネット１００を含むネットワークによって接続されている。
【００１６】
ＰＣ端末２０１、処理装置３０１、ＰＣ端末４０１、携帯端末４０２は、コンピュータである。尚、以降、ＰＣ端末４０１または携帯端末４０２を併せて顧客端末４００と称する。
【００１７】
以降、図４の全体の構成図の流れを参照して説明する。
【００１８】
宣伝代行会社３０の登録会社２０の募集案内に応じ、登録会社２０は、インターネット接続環境の整ったＰＣ端末２０１を用いて宣伝代行会社３０の処理装置３０１に接続し、図６に例示する処理装置３０１のＷＥＢ上のホームページの企業登録画面イメージを使用して、登録会社２０の企業名や商品の広告情報や商品情報等を処理装置３０１に接続されたデータベースに登録する。
【００１９】
次に、顧客４０は、インターネット１００と接続可能なＰＣ端末４０１、または携帯端末４０２である顧客端末４００を使用して宣伝代行会社３０に接続し、宣伝代行会社のホームページの商品情報にアクセスし、商品資料の請求や商品の購入等を行う。　宣伝代行会社３０の会員となるために個人情報の登録を希望する顧客４０は、顧客端末４００を用い、インターネット１００を介して宣伝代行会社３０の処理装置３０１のデータベースに個人情報を登録する。顧客４０は、宣伝代行会社３０に個人情報の登録を行うことにより、宣伝代行会社３０の会員となることができ、宣伝代行会社３０を通して登録会社２０の提供する商品購入時のインセンティブを得られる権利が発生する。ここで得られるインセンティブは、登録会社２０が予め宣伝代行会社３０に登録した個々の商品情報に設定されたインセンティブ情報に基づくものである。
【００２０】
また、図７に例示する顧客登録画面イメージは、新規に宣伝代行会社３０の会員となる顧客４０や既に会員となっている顧客４０から、個人情報の新規登録や登録されている個人情報の更新を行うためのものである。新規顧客４０においては、宣伝代行会社３０の会員制度を紹介した紹介者会員の会員番号を入力する項目があり、既に会員である紹介者会員においては、紹介した新規会員の会員番号を入力する項目があり、それぞれ該当する会員番号を入力することにより、登録会社２０が登録したインセンティブ情報により、顧客４０にはインセンティブを受けられる権利が発生する。
【００２１】
新規に会員となる場合には、顧客名を含む顧客４０の個人情報や購入した商品の代金を登録会社２０に振り込むための顧客４０の持つ金融機関の口座情報等も登録することができる。また、宣伝代行会社３０は、顧客４０が図７の顧客登録画面イメージを使用して登録した顧客４０の個人情報を含む内容を、顧客メニューＤＢ３０３に格納している。
【００２２】
次に、宣伝代行会社３０について説明する。宣伝代行会社３０は、登録会社２０の販売する商品の宣伝／広告情報をＷＥＢ上で公開することによって登録会社２０の商品の販売業務を代行し、顧客４０と登録会社２０との仲介をする役目をするものである。
【００２３】
宣伝代行会社３０は、インターネット接続機能を有する処理装置３０１でインターネット１００に接続し、ＷＥＢサーバ機能によって企業メニューＤＢ３０３に登録会社２０が登録した情報を顧客４０に公開する。ここで、公開される情報には、登録会社２０が登録した図６の企業登録画面イメージで例示する商品情報等の内容を含んでいる。
【００２４】
顧客４０はインターネット１００を介し宣伝代行会社３０から商品情報等を取り出して参照し、顧客端末４００から商品の購入の要求や商品資料の請求を行うが、この際、顧客４０が宣伝代行会社３０の会員であれば、商品購入時に登録会社２０が図６の企業登録画面イメージのインセンティブ設定で顧客４０が購入しようとする商品に設定したインセンティブ情報から選択したインセンティブ条件を得られる権利が発生する。
【００２５】
顧客４０は宣伝代行会社３０の会員となるために顧客４０の個人情報の登録が必要である。個人情報として顧客４０が登録しても構わないと判断した情報を登録することができる。個人情報として、例えば顧客４０の氏名、住所、電話番号等の会員となるための登録が必須の情報以外に、オプション情報として例えば年齢、性別、職種、趣味等も登録することができ、このようなオプション情報を登録した場合、インセンティブを受けられる範囲が拡大することになる。
【００２６】
また、顧客４０が宣伝代行会社３０の会員でない場合でも、登録会社２０がインセンティブ設定で登録した内容によってはインセンティブを受けられる権利が発生する。また、宣伝代行会社３０の役目はあくまで登録会社２０と顧客４０との仲介であり、顧客４０からのパスワードの入力、指紋の入力等によって顧客４０の認証を行い、許可しない顧客４０からのアクセスに対してガードをすることで個人情報の漏洩を防いでいる。
【００２７】
ここで本発明において例示するインセンティブ情報の内容は以下のようであるが、これに限定されるものではない。
１．現金によるインセンティブ条件
・一括支払い型顧客４０が商品を購入すると、現金にてキャッシュバックするもので、各商品ごとに設定できる。
【００２８】
・貯蓄型を選択した顧客４０が商品を購入すると、キャッシュバックされた現金が蓄積され、顧客４０の要望により自由に顧客に還元させることができる。
【００２９】
（例）期間などで、例えば１年間は蓄積を続ける等の設定する。
２．購入商品の割引型のインセンティブ条件
・購入した商品の価格に直接還元させる場合の例えば５％等の割引き率を設定する。
３．ポイント貯蓄型のインセンティブ条件
・ポイントを貯めていく方式で、蓄積されたポイント数ごとに設定された商品と交換する場合の商品を設定する。複数の登録会社２０が共同し共通のポイントを設定することもできる。
４．紹介者会員に対するインセンティブ条件の設定
・会員を紹介した場合、紹介された会員が商品を購入するごとにインセンティブを紹介者会員に支払う場合の設定であり、現金やポイントが紹介者会員に付与される。
５．インセンティブ発生条件
・登録会社が商品購入者に対して、インセンティブを支払う場合の条件を設定する。
【００３０】
（例１）インセンティブの対象を購入する商品の商品情報に含まれるアンケートに回答した場合に限定するなど。もちろん、条件無しの設定も可能。
【００３１】
（例２）インセンティブの対象を会員に限定。
【００３２】
（例３）２０代の女性に限定。
【００３３】
（例４）コンピュータ会社の勤務者に限定。
【００３４】
例３、例４の場合は会員登録時の個人情報に性別、年齢、勤務先を登録している顧客４０がインセンティブを得られる対象となる。
【００３５】
登録会社２０は、以上に掲げた内容を登録することにより、宣伝代行会社３０に宣伝・販売を委託する。宣伝代行会社３０は、会員である顧客４０の受け取ったインセンティブに関し、貯蓄型で蓄積した現金やポイント貯蓄型のポイント数の出入りを会員ごとに顧客メニューＤＢ３０３上で管理する。
【００３６】
但し、宣伝代行会社３０の処理装置３０１は、ねずみ講やマルチ商法と区別を行い、第一紹介者までをインセンティブの対象とし、子、孫の紹介者には一切インセンティブは発生しないようにしている。また、複数の紹介者会員がいてもそのうちの一人を選択して登録するようになっていて一人の会員が複数の紹介者を持つことはできないようにしている。さらに、二人の会員が互いに相手を紹介者会員とすることもできないようにしている。
【００３７】
次に、本発明の実施の形態の動作について図２、図３のフローチャートを参照して説明する。
【００３８】
まず、商品の宣伝代行を希望する登録会社２０は、ＰＣ端末２０１を用い、インターネット１００を介し、宣伝代行会社３０の処理装置３０１のＷＥＢ情報をアクセスし、企業情報、商品情報等の登録依頼を出す（ステップ１０１）。
【００３９】
処理装置３０１によってこの登録の依頼が受け付けられると、図６に例示する企業登録画面イメージに従って企業名や販売する商品の広告情報、商品情報、インセンティブ情報の登録を行う（ステップ１０２）。登録会社２０から登録をする商品が複数ある場合は、それぞれの商品についての商品情報や宣伝／広告情報やインセンティブ情報を登録することができる。複数の商品に共通したインセンティブ情報を与えることも可能であるし、インセンティブ情報を持たない商品もある。
【００４０】
インセンティブ情報は、個々の商品情報に定義することができ、０以上のインセンティブ条件と個々のインセンティブ条件の持つインセンティブ発生条件と紹介者会員に与えるインセンティブ条件とからなっている。紹介者会員のインセンティブ条件も０以上あって構わない。
【００４１】
インセンティブ条件とは、商品を購入すると、例えば金額１０００円の現金のキャッシュバックを行ったり、ポイント貯蓄型での、例えば１００ポイントの付与を行ったりすることである。
【００４２】
インセンティブ発生条件とは、例えば、商品購入時にアンケートを記入したり、どのような個人情報を有する顧客４０にインセンティブを与えるかの等の条件である。
【００４３】
登録会社２０から登録された情報は、処理装置３０１に接続された企業メニューＤＢ３０３に格納される。処理装置３０１は、この登録が終了すると、ＰＣ端末２０１に対して登録完了を通知する（ステップ１０３）。以降、顧客４０からインターネット１００を介して宣伝代行会社３０の処理装置３０１にアクセスし、ＷＥＢ上の登録会社２０の登録した情報の参照が可能となる。
【００４４】
顧客４０（ここでは、顧客Ａ、顧客Ｂ、顧客Ｃの３名を想定するが）は、インターネット１００を介して顧客端末４００を用いて宣伝代行会社３０にアクセスし（ステップ１０４）、登録会社２０の登録した商品情報を閲覧し（ステップ１０５）、閲覧した商品情報から必要な商品の資料請求をすることが出来る（ステップ１０６）。
【００４５】
顧客４０が顧客端末４００を用いて商品資料を請求した場合、宣伝代行会社３０の処理装置３０１は、登録会社２０のＰＣ端末２０１に対して顧客４０の請求した資料を要求する（ステップ１０７）。
【００４６】
ＰＣ端末２０１は資料の要求の通知を受けると、資料を電子メールや宅配便で送付する（ステップ１０８）。この際、資料の送付ルートとして、“登録会社２０→顧客４０（顧客Ａ、顧客Ｂ）”のルートと、“登録会社２０→宣伝代行会社３０→顧客４０（顧客Ａ、顧客Ｂ）”のルートの２通りのルートがあり、顧客４０が指定したルートに従って送付される。このルートの選択は、顧客４０が個人情報を宣伝代行会社３０に登録するとき、もしくは商品の資料請求時に行うことができるようになっている。
【００４７】
次に、顧客４０からの会員登録や商品購入時の処理手順を顧客Ａ、顧客Ｂと、顧客Ｂの紹介者である顧客Ｃを使用して説明する。まずは、会員登録を希望する顧客Ｂについて説明する。
【００４８】
顧客Ｂはインターネット１００を介し顧客端末４００から宣伝代行会社３０の処理装置３０１に個人情報を登録することにより会員となる。ここで顧客Ｂが登録した個人情報は、処理装置３０１に接続された顧客メニューＤＢ３０２に格納される。この会員登録時には自分が既に会員である他の現会員に紹介されて会員登録を行うのか、紹介者なしで会員登録を行うかを指定できるようになっている。
【００４９】
紹介者がいる場合には、図４の顧客登録画面イメージに例示するように、紹介者会員である顧客Ｃの会員番号を「紹介者会員の会員番号入力欄」に入力し送信する（ステップ１１３）。この場合、宣伝代行会社３０は紹介による会員登録としてこの登録要求が受理される（ステップ１１５）。
【００５０】
また、紹介者がいない場合は、「紹介者会員の会員番号入力欄」には入力を行わずに送信するため、処理装置３０１では、この登録要求は、紹介者なしの会員登録として受理される（ステップ１１４）。
【００５１】
宣伝代行会社３０の処理装置３０１は、顧客Ｂから受信した個人情報について、顧客メニューＤＢ３０２への登録を完了すると、続いて顧客Ｂの会員番号とパスワードを発行し、顧客Ｂの顧客端末４００に生成した会員番号を電子メールで送信または郵送する（ステップ１１６）。
【００５２】
紹介者会員による登録の場合、顧客Ｂは紹介者の顧客Ｃに対して、登録会社２０から発行された会員番号を電子メール等で送信する（ステップ１１７）。顧客Ｃは、顧客Ｂから顧客Ｂの会員番号を受信すると、顧客端末４００を用いて図７の顧客登録画面イメージに例示する「紹介した新規会員の会員番号入力欄」に顧客Ｂの会員番号を入力し処理装置３０１に送信し、顧客Ｃの個人情報を変更する（ステップ１１８）。
【００５３】
処理装置３０１は顧客メニューＤＢ３０２の顧客Ｃについての個人情報を受信した内容で更新する。続いて、処理装置３０１は、顧客Ｂ及び紹介者である顧客Ｃの両者に紹介承認を通知する（ステップ１１９）。以上が顧客Ｂの会員登録に伴う手順の説明である。この手順が完了すると、顧客Ｂが商品を購入した場合、顧客Ｃもそのインセンティブを受けることができるようになる。
【００５４】
次に、顧客４０による商品購入の手順を説明する。
【００５５】
まず、会員として登録された顧客Ｂの場合であるが、宣伝代行会社３０がインターネット１００で登録会社２０の処理装置３０１に顧客端末４００を用いて接続すると、会員番号とパスワードの入力が求められる。顧客Ｂは会員番号とパスワードを入力すると、処理装置３０１は顧客メニューＤＢ３０２の登録情報と照合し、両者が一致すると会員として認証が行われる。顧客Ｂは続いて商品情報を検索し、購入する商品を選択する（ステップ１２０）。この時、商品ごとにインセンティブ情報が割り当てられており、処理装置３０１は、商品情報とともにインセンティブ情報を顧客Ｂの端末に送信する（ステップ１２１）。
【００５６】
インセンティブ情報には、前述したように購入商品の価格の割引率の指定、購入商品に付与されたポイント数等のインセンティブ条件が０以上設定されており、顧客Ｂは購入する商品の持つインセンティブ情報から最適な条件を選択する（ステップ１２２）。
【００５７】
宣伝代行会社３０の処理装置３０１は、顧客Ｂが選択した商品情報とそのインセンティブ条件とそれに付随するインセンティブ発生条件と紹介者に与えるインセンティブ条件とを受け取ると（ステップ１２２）、例えばインセンティブ発生条件に会員でアンケート記入が必要の条件の場合、アンケートの記入が行われているかをチェックしたり、発生条件が２０代の女性の場合には顧客Ｂの個人情報を個人メニューＤＢ３０２を参照してチェックし適合しているかをチェックする。適合している場合にはインターネット１００を介して登録会社２０のＰＣ端末２０１に顧客Ｂから受け取った情報と適合承認を通知する（ステップ１２３）。尚、紹介者会員を持たない会員については、当然ながら紹介者へのインセンティブの適用は行われない。
【００５８】
登録会社２０は適合承認通知を受けると、了承した旨の適合了承を処理装置３０１に応答する（ステップ１２４）。処理装置３０１はこれを受け、顧客Ｂの顧客端末４００に対して適合承認通知をする（ステップ１２５）。
【００５９】
もし処理装置３０１のインセンティブ発生条件のチェックで適合されていない場合は、インセンティブ発生条件が適合しない旨の通知が顧客端末４００に通知されるので、顧客４０は他のインセンティブ条件を選択するかインセンティブ条件なして購入を行うか等を選択することになる。
【００６０】
以降、図５を参照して商品の納入の流れを説明する。顧客Ｂはここでインターネット１００を介し顧客端末４００から処理装置３０１に商品の購入依頼を送信する（ステップ１２６）。これを受けた処理装置３０１は、登録会社２０のＰＣ端末２０１に発注をかける（ステップ１２７）。同時に処理装置３０１は、インセンティブ条件が蓄積型の場合、顧客Ｂと紹介者の顧客Ｃのこれまでに蓄積された金額やポイント数の加算を行うとともに、顧客Ｂ及び顧客Ｃの顧客端末４００に対してインセンティブ還元の通知を行う（ステップ１２８）。この時、還元される金額やポイント数、また貯蓄型の場合はこれまでに蓄積された金額やポイント数も通知される。
【００６１】
登録会社２０は顧客Ｂからの商品の発注を受けると当該する商品を顧客Ｂに納品する（ステップ１２９）。納品に際しては、先ほど述べたように顧客４０の希望により“登録会社２０→顧客Ｂ”“登録会社２０→宣伝代行会社３０→顧客Ｂ”の２通りのルートから選択されたルートに従い送付される。顧客Ｂが購入した商品の代金は、顧客Ｂが会員登録時に申請した顧客Ｂの口座から顧客Ｂの選定したインセンティブ条件に従い補正が行われ、処理装置３０１によって精算金額が決定されて金融機関に通知され、登録会社２０への振り込みが自動的に行われる。
【００６２】
以上が顧客Ｂによる商品購入手続きの手順である。
【００６３】
次に宣伝代行会社３０の会員登録をしていない顧客Ａが商品を購入する場合について説明する。顧客Ａは、宣伝代行会社３０がインターネット１００で登録会社２０の処理装置３０１に顧客端末４００を用いて接続すると、会員番号とパスワードの入力が求められる。顧客Ａは会員ではないので、何も入力をせずに処理装置３０１に応答する。処理装置３０１では、会員番号の入力が無いので会員ではない顧客４０と判断する。顧客Ａは続いて商品情報を参照して購入する商品の選択をする（ステップ１３０）。この時、処理装置３０１は、顧客Ａの顧客端末４００に対して商品情報とともにその商品の持つインセンティブ情報も併せて送信する（ステップ１３１）。ここで、顧客Ａは、顧客端末４００を用いてインセンティブ情報を確認する。顧客Ａが購入しようとした商品のインセンティブ条件をチェックすると（ステップ１３２）、購入したい商品があり、そのインセンティブ条件に会員でなくても適用されるものがあり（ステップ１３３）、希望する条件を満足する商品があると、インターネット１００を介し顧客端末４００を用いて処理装置３０１に購入を希望する商品の商品情報と選択したインセンティブ条件とを通知する（ステップ１３４）。処理装置３０１は、指定されたインセンティブ条件が会員でない場合にも適用されるものか否かを確認し、適用されるものであれば、登録会社２０のＰＣ端末２０１に適合承認通知を送信する（ステップ１３５）。登録会社２０は適合承認通知を受けると、了承した旨の適合了承を処理装置３０１に応答する（ステップ１３６）。処理装置３０１はこれを受け、顧客Ａの顧客端末４００に対して適合承認通知をする（ステップ１３７）。
【００６４】
顧客Ａは顧客端末４００を用いて処理装置３０１に購入依頼をする（ステップ１３８）。処理装置３０１は、登録会社２０のＰＣ端末２０１に発注をかけるとともに（ステップ１３９）、顧客Ａの顧客端末４００に対して　インセンティブ還元の通知を行う（ステップ１４０）。登録会社２０は商品を顧客Ａに納品する（ステップ１４１）。
【００６５】
納品に際して、先ほど述べたように顧客４０の希望により“登録会社２０→顧客Ａ”“登録会社２０→宣伝代行会社３０→顧客Ａ”の２通りのルートから選択されたルートで送付される。以上が購入手続きの手順である。
【００６６】
次に先に戻り、顧客Ａが購入しようとした商品のインセンティブ条件をチェックすると（ステップ１３２）、会員指定ありの場合（ステップ１４２）、顧客Ａは会員でない為にインセンティブ条件を満たすことが出来ない。このため、通常購入（インセンティブ無し）を選択し（ステップ１４３）、宣伝代行会社３０に通知する。
【００６７】
宣伝代行会社３０は処理装置３０１を用い登録会社２０のＰＣ端末２０１に対して通常購入通知をし（ステップ１４４）、登録会社２０は条件を照合し、条件に見合っていればＰＣ端末２０１を用いインターネット１００を介し処理装置３０１に了承を通知する（ステップ１４５）。ここで、処理装置３０１は、登録会社２０のＰＣ端末２０１に対し発注を行い（ステップ１４６）、登録会社２０は商品を顧客Ａに納品する（ステップ１４７）。納品に際して、先ほど述べたように顧客Ａの希望により“登録会社→顧客Ａ”“登録会社→宣伝代行会社３０→顧客Ａ”の２通りから選択されたルートで送付される。
【００６８】
尚、顧客Ａは、会員でないため、商品の購入時に商品の送付先を宣伝代行会社３０に通知するとともに、商品の受け取り時に代金の支払いを行うことになる。
【００６９】
【発明の効果】
第一の効果は、インセンティブによる顧客の拡大である。企業側は宣伝費の一部を、このようなインセンティブとして顧客へ還元することにより、効果的な拡販を計ることが出来る。また、顧客が顧客を広げることで一層拍車をかける効果を得られるものである。
【００７０】
第二の効果は、インセンティブ対象条件の項目でアンケートを条件にすることにより、条件を満たした顧客の個人情報などが、得られるということである。
【００７１】
第三の効果は、顧客側の立場に立った個人情報の漏洩の心配がなくなるということである。通常のＷＥＢ購入を、宣伝代行会社が仲介することにより安全が守られる。
【００７２】
第四の効果は、顧客自身が利益を得られるということである。
【図面の簡単な説明】
【図１】本発明の実施の形態の構成を説明するブロック図である。
【図２】本発明の実施の形態の動作を説明するフローチャートである。
【図３】本発明の実施の携帯の動作を説明するフローチャートである。
【図４】本発明の実施の形態の構成要素間の情報の流れを説明する模式図である。
【図５】本発明の実施の形態の商品の流れを説明する模式図である。
【図６】本発明の実施の形態の登録会社の商品情報や提供するインセンティブ情報の登録画面の説明図である。
【図７】本発明の実施の形態の顧客の個人情報や紹介者の会員番号の登録画面の説明図である。
【符号の説明】
２０　　登録会社
２０１　　ＰＣ端末
３０　　宣伝代行会社
３０１　　処理装置
３０２　　顧客メニューＤＢ
３０３　　企業メニューＤＢ
４０　　顧客
４００　　顧客端末
４０１　　ＰＣ端末
４０２　　携帯端末
１００　　インターネット
【図１】
2004070480.tif 000003
【図２】
2004070480.tif 000004
【図３】
2004070480.tif 000005
【図４】
2004070480.tif 000006
【図５】
2004070480.tif 000007
【図６】
2004070480.tif 000008
【図７】
2004070480.tif 000009